(57)【要約】【課題】様々な姿勢において、冷却対象を効率良く冷却できるプロジェクターを提供する。【解決手段】プロジェクターは、冷却装置を備える。冷却装置は、冷却対象の熱を受熱する受熱部５１と、内部に作動液を収容し、受熱部５１の熱を受熱して作動液が蒸発する内装部５４Ａ、および作動液の蒸気が凝縮する延出部５４Ｂ，５４Ｃを有するヒートパイプ５４と、延出部５４Ｂ，５４Ｃに熱伝導可能に配置されたヒートシンク５３と、を備え、プロジェクター１の第１設置姿勢、第１設置姿勢における水平面Ｈｐに対する投写レンズの光軸の角度が一方の方向に第１の所定の角度で変えられた第２設置姿勢、および他方の方向に第２の所定の角度で変えられた第３設置姿勢において、延出部５４Ｂ，５４Ｃの少なくともいずれか一方は、内装部５４Ａの上側に位置する。【選択図】図３
2015135360.tif 000002
【特許請求の範囲】
【請求項１】
光源と、前記光源から射出された光を画像情報に応じて変調する光変調装置と、前記光変調装置で変調された光を投写する投写レンズと、冷却対象を冷却する冷却装置と、を備えたプロジェクターであって、
前記冷却装置は、
前記冷却対象の熱を受熱する受熱部と、
内部に作動液を収容し、前記受熱部の熱を受熱して前記作動液が蒸発する蒸発部、および前記作動液の蒸気が凝縮する凝縮部を有するヒートパイプと、
前記凝縮部に熱伝導可能に配置されたヒートシンクと、
を備え、
前記ヒートパイプは、当該プロジェクターの第１設置姿勢、前記第１設置姿勢における水平面に対する前記投写レンズの光軸の角度が一方の方向に第１の所定の角度で変えられた第２設置姿勢、および他方の方向に第２の所定の角度で変えられた第３設置姿勢において、前記蒸発部の上側に位置する前記凝縮部を有することを特徴とするプロジェクター。
【請求項２】
請求項１に記載のプロジェクターであって、
前記第１の所定の角度、および前記第２の所定の角度は、それぞれ９０°であることを特徴とするプロジェクター。
【請求項３】
請求項１または請求項２に記載のプロジェクターであって、
前記ヒートパイプは、前記蒸発部の両側から延出し、互いに対向する一対の前記凝縮部を有し、
前記一対の凝縮部は、前記蒸発部から遠ざかるに従って当該一対の凝縮部の間に位置する中心線からの距離が大きくなるように、前記中心線に対して傾斜し、
前記ヒートパイプは、前記第１設置姿勢において、前記一対の凝縮部が前記蒸発部の上側に位置し、前記中心線を通る鉛直面が前記光軸に直交するように配置されることを特徴とするプロジェクター。
【請求項４】
請求項１または請求項２に記載のプロジェクターであって、
前記ヒートパイプは、前記蒸発部の両側から互いに離間する方向に延出する一対の前記凝縮部を有し、
前記一対の凝縮部は、前記第１設置姿勢において、前記蒸発部の上側に位置し、かつ、前記蒸発部の中心線を通る鉛直面に対し、互いが異なる方向に前記蒸発部に対して屈曲し、
前記ヒートパイプは、前記第１設置姿勢において、前記中心線を通る鉛直面が前記光軸に直交するように配置されることを特徴とするプロジェクター。
【請求項５】
請求項１〜請求項４のいずれか一項に記載のプロジェクターであって、
前記冷却装置は、
前記受熱部と前記蒸発部との間に、前記受熱部の熱を前記蒸発部に伝える熱電変換素子を備えることを特徴とするプロジェクター。
【請求項６】
請求項３に記載のプロジェクターであって、
前記冷却装置は、
前記受熱部と前記蒸発部との間に、前記受熱部の熱を前記蒸発部に伝える熱電変換素子と、
冷却空気を送風する冷却ファンと、
をさらに備え、
前記ヒートシンクは、前記熱電変換素子側から見て、前記熱電変換素子に重なり、前記蒸発部および前記熱電変換素子に熱伝導可能な積層部、および前記熱電変換素子から飛び出る突出部を有し、
前記冷却ファンは、前記積層部側から前記ヒートシンクに冷却空気を送風するように配置されていることを特徴とするプロジェクター。
【請求項７】
請求項１〜請求項６のいずれか一項に記載のプロジェクターであって、
前記受熱部は、内部に冷却液体が流通する流路を有し、
前記冷却装置は、
内部に前記冷却液体が流通する流路を有し、前記冷却対象を保持する冷却対象保持部と、
前記冷却液体を吸入および圧送する液体圧送部と、
内部に前記冷却液体を貯留する供給タンクと、
前記冷却対象保持部、前記液体圧送部、前記供給タンク、および前記受熱部に前記冷却液体が環状に流通するように、前記冷却対象保持部、前記液体圧送部、前記供給タンク、および前記受熱部を接続する管状部材と、
をさらに備えることを特徴とするプロジェクター。
【発明の詳細な説明】
【技術分野】
【０００１】
本発明は、プロジェクターに関する。
【背景技術】
【０００２】
従来、光源と、光源から射出された光を画像情報に応じて変調する光変調装置と、光変調装置で変調した光を投写する投写光学系とを備え、スクリーン等の投写面に画像を投写するプロジェクターが知られている。近年、光源の高輝度化が求められ、光変調装置等の光学素子は、より高温に発熱するため、これらの光学素子を効率良く冷却するためのプロジェクターが提案されている（例えば、特許文献１参照）。
【０００３】
特許文献１に記載のプロジェクターは、熱輸送装置、液冷装置および空冷装置を備える。
熱輸送装置は、ヒートパイプ、受熱ブロック、およびペルチェ素子を備える。ヒートパイプは、内部に毛細管構造を有する断面視円形状の管状に形成されるとともに、Ｌ字形状を有するように屈曲形成されている。ヒートパイプは、一端側の蒸発部が光変調装置に熱伝達可能に接続され、他端側の凝縮部が光変調装置の上側に位置する受熱ブロックに熱伝達可能に接続されている。そして、熱輸送装置は、光変調装置に生じた熱をヒートパイプの発熱部から凝縮部に移動させ、受熱ブロック、およびペルチェ素子を介して液冷装置に伝達する。
液冷装置は、液体圧送部、受熱ジャケット、ラジエーター、および複数の液体循環部材等を備え、冷却液体が流通する環状の流路が設けられている。そして、液冷装置は、液体圧送部が熱輸送装置のペルチェ素子における放熱面に熱伝達可能に接続されている。
そして、熱輸送装置から伝えられた熱は、液冷装置において、液体圧送部〜受熱ジャケット〜ラジエーターの熱伝達経路を辿り、空冷装置によって放熱される。
【先行技術文献】
【特許文献】
【０００４】
【特許文献１】特開２００９−２２９９５５号公報
【発明の概要】
【発明が解決しようとする課題】
【０００５】
しかしながら、特許文献１に記載の熱輸送装置は、毛細管構造を有するヒートパイプを用いているとはいうものの、凝縮部が蒸発部の下方に位置するようなプロジェクターの姿勢（例えば、天井等に設置されて床等に設置された投写面に投写する姿勢等）においては、蒸発部から凝縮部への熱移動を充分発揮できなくなる恐れがある。そして、ヒートパイプによるこの熱移動が充分行われないと、光変調装置の冷却が不十分で光変調装置が劣化するという課題がある。
また、毛細管構造を有する特殊なヒートパイプは高価で、特許文献１に記載の熱輸送装置のように１つの光変調装置に複数のヒートパイプを配する構成では、複数（例えば、３つ）の光変調装置を冷却する構成においては、熱輸送装置が複雑でさらに高価なものとなってしまう。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源と、前記光源から射出された光を画像情報に応じて変調する光変調装置と、前記光変調装置で変調された光を投写する投写レンズと、冷却対象を冷却する冷却装置と、を備えたプロジェクターであって、前記冷却装置は、前記冷却対象の熱を受熱する受熱部と、内部に作動液を収容し、前記受熱部の熱を受熱して前記作動液が蒸発する蒸発部、および前記作動液の蒸気が凝縮する凝縮部を有するヒートパイプと、前記凝縮部に熱伝導可能に配置されたヒートシンクと、を備え、前記ヒートパイプは、当該プロジェクターの第１設置姿勢、前記第１設置姿勢における水平面に対する前記投写レンズの光軸の角度が一方の方向に第１の所定の角度で変えられた第２設置姿勢、および他方の方向に第２の所定の角度で変えられた第３設置姿勢において、前記蒸発部の上側に位置する前記凝縮部を有することを特徴とする。
【０００８】
ヒートパイプは、管状の部材の内部に作動液が封入された構成を有し、この作動液が蒸発部で蒸発してその蒸気が凝縮部に移動し、凝縮部で液体に凝縮されて蒸発部に還流することで熱移動が行われる。
この構成によれば、ヒートパイプは、プロジェクターの第１設置姿勢、第２設置姿勢、および第３設置姿勢において、蒸発部の上側に位置する凝縮部を有する。
これによって、ヒートパイプは、プロジェクターが水平面に対する投写レンズの光軸の角度が所定の範囲で変えられた姿勢であっても、熱移動が行われるので、冷却装置は、冷却対象の熱をヒートシンクに移動させ、冷却対象を冷却することができる。例えば、壁等に設置された投写面に画像を投写するプロジェクターの姿勢を第１設置姿勢とした場合、この第１設置姿勢からプロジェクターが回転され、上方や下方に画像を投写する第２設置姿勢や第３設置姿勢であっても、冷却装置は、冷却対象を安定して冷却することが可能となる。
また、冷却装置は、特殊なヒートパイプ（例えば、毛細管力を利用して作動液を移動させるように構成されたヒートパイプ等）を備えることなく、簡素な構成のヒートパイプを用いても、このヒートパイプが熱移動を行うので、安定して冷却対象を冷却することが可能となる。
したがって、複雑な構成や高価なヒートパイプを用いることなく冷却装置を構成し、様々な使用シーンに対応できるプロジェクターの提供が可能となる。
【０００９】
［適用例２］上記適用例に係るプロジェクターにおいて、前記第１の所定の角度、および前記第２の所定の角度は、それぞれ９０°であることが好ましい。
【００１０】
この構成によれば、プロジェクターは、第１設置姿勢における水平面に対し、±９０°の範囲で回転された姿勢においても、冷却対象を安定して冷却することが可能となる。例えば、壁等に設置された投写面に画像を投写する姿勢を第１設置姿勢とすれば、第２設置姿勢で天井等に設置された投写面に画像を投写し、第３設置姿勢で床等に設置された投写面に画像を投写できるプロジェクターを提供することが可能となる。
【００１１】
［適用例３］上記適用例に係るプロジェクターにおいて、前記ヒートパイプは、前記蒸発部の両側から延出し、互いに対向する一対の前記凝縮部を有し、前記一対の凝縮部は、前記蒸発部から遠ざかるに従って当該一対の凝縮部の間に位置する中心線からの距離が大きくなるように、前記中心線に対して傾斜し、前記ヒートパイプは、前記第１設置姿勢において、前記一対の凝縮部が前記蒸発部の上側に位置し、前記中心線を通る鉛直面が前記光軸に直交するように配置されることが好ましい。
【００１２】
この構成によれば、ヒートパイプは、上述したように形成された蒸発部および一対の凝縮部を有し、第１設置姿勢において、一対の凝縮部が蒸発部の上側に位置し、中心線を通る鉛直面が投写レンズの光軸に直交するように配置される。
これによって、プロジェクターは、第１設置姿勢から第２設置姿勢、あるいは第１設置姿勢から第３設置姿勢に変更される場合には、ヒートパイプの中心線に沿う軸を中心に回転されることとなる。一対の凝縮部は、中心線に対して上述したように傾斜しているので、第１設置姿勢から第２設置姿勢、および第１設置姿勢から第３設置姿勢に変更されても、一対の凝縮部の少なくともいずれか一方は、発熱部の上側に位置することとなる。よって、簡素な形状でヒートパイプを形成し、第１設置姿勢、第２設置姿勢および第３設置姿勢において、冷却対象を安定して冷却できる冷却装置が可能となる。
【００１３】
［適用例４］上記適用例に係るプロジェクターにおいて、前記ヒートパイプは、前記蒸発部の両側から互いに離間する方向に延出する一対の前記凝縮部を有し、前記一対の凝縮部は、前記第１設置姿勢において、前記蒸発部の上側に位置し、かつ、前記蒸発部の中心線を通る鉛直面に対し、互いが異なる方向に前記蒸発部に対して屈曲し、前記ヒートパイプは、前記第１設置姿勢において、前記中心線を通る鉛直面が前記光軸に直交するように配置されることが好ましい。
【００１４】
この構成によれば、ヒートパイプは、上述したように形成された蒸発部および一対の凝縮部を有し、第１設置姿勢において、一対の凝縮部が蒸発部の上側に位置し、中心線を通る鉛直面が投写レンズの光軸に直交するように配置される。
これによって、プロジェクターは、上述した一対の凝縮部が互いに対向するように形成されたヒートパイプを備える構成と同様に、第１設置姿勢から第２設置姿勢や第３設置姿勢に姿勢が変えられても、一対の凝縮部の少なくともいずれか一方の凝縮部を蒸発部の上側に位置させることができる。よって、簡素な形状でヒートパイプを形成し、第１設置姿勢、第２設置姿勢および第３設置姿勢において、冷却対象を安定して冷却できる冷却装置が可能となる。
また、一対の凝縮部は、蒸発部の両側から互いに離間する方向に延出しているので、ヒートシンクも蒸発部の両側に配置されることとなる。これによって、受熱部から蒸発部に伝わる熱を、このヒートシンクに伝えることができる。よって、ヒートシンクの放熱性をより高めることができるので、冷却対象のさらに効率的な冷却が可能となる。
【００１５】
［適用例５］上記適用例に係るプロジェクターにおいて、前記冷却装置は、前記受熱部と前記蒸発部との間に、前記受熱部の熱を前記蒸発部に伝える熱電変換素子を備えることが好ましい。
【００１６】
熱電変換素子は、電力が供給されると、受熱部の熱を吸熱部で吸熱し、発熱部で発熱する。
この構成によれば、受熱部と蒸発部との間に熱電変換素子が設けられているので、受熱部の熱を効率良く蒸発部に移動させることができる。よって、冷却対象のより効率的な冷却が可能となる。
【００１７】
［適用例６］上記適用例に係るプロジェクターにおいて、前記冷却装置は、前記受熱部と前記蒸発部との間に、前記受熱部の熱を前記蒸発部に伝える熱電変換素子と、冷却空気を送風する冷却ファンと、をさらに備え、前記ヒートシンクは、前記熱電変換素子側から見て、前記熱電変換素子に重なり、前記蒸発部および前記熱電変換素子に熱伝導可能な積層部、および前記熱電変換素子から飛び出る突出部を有し、前記冷却ファンは、前記積層部側から前記ヒートシンクに冷却空気を送風するように配置されていることが好ましい。
【００１８】
この構成によれば、ヒートシンクには、熱電変換素子に重なる積層部側から冷却空気が送風される。これによって、ヒートシンクには、温度が高い側から冷却空気が送風されるので、ヒートシンクをより効率良く放熱させることが可能となる。
【００１９】
［適用例７］上記適用例に係るプロジェクターにおいて、前記受熱部は、内部に冷却液体が流通する流路を有し、前記冷却装置は、内部に前記冷却液体が流通する流路を有し、前記冷却対象を保持する冷却対象保持部と、前記冷却液体を吸入および圧送する液体圧送部と、内部に前記冷却液体を貯留する供給タンクと、前記冷却対象保持部、前記液体圧送部、前記供給タンク、および前記受熱部に前記冷却液体が環状に流通するように、前記冷却対象保持部、前記液体圧送部、前記供給タンク、および前記受熱部を接続する管状部材と、をさらに備えることが好ましい。
【００２０】
この構成によれば、冷却装置には、冷却対象保持部、液体圧送部、供給タンク、受熱部、および管状部材で構成された、冷却液体が流通する環状の流路が設けられる。
これによって、光源からの光によって発熱した冷却対象の熱を、冷却液体を介して受熱部に伝導させることができる。冷却装置は、上述したように、受熱部の熱を効率良く放熱させるので、冷却装置は、冷却液体を効率良く冷却することができる。よって、受熱部で冷却した冷却液体が流通する冷却対象保持部の冷却、ひいては冷却対象の効率的な冷却が可能となる。
【図面の簡単な説明】
【００２１】
【図１】第１実施形態のプロジェクターの主な構成を示す模式図。
【図２】第１実施形態における冷却装置の主な構成を示すブロック図。
【図３】第１実施形態における熱交換装置を説明するための模式図。
【図４】第１実施形態の第２設置姿勢におけるヒートパイプの熱移動を説明するための模式図。
【図５】第１実施形態の第３設置姿勢におけるヒートパイプの熱移動を説明するための模式図。
【図６】第２実施形態における熱交換装置を説明するための模式図。
【図７】第２実施形態の第２設置姿勢におけるヒートパイプの熱移動を説明するための模式図。
【図８】第２実施形態の第３設置姿勢におけるヒートパイプの熱移動を説明するための模式図。
【発明を実施するための形態】
【００２２】
（第１実施形態）
以下、第１実施形態に係るプロジェクターについて、図面を参照して説明する。
本実施形態のプロジェクターは、光源から射出された光を画像情報に応じて変調し、変調した光をスクリーン等の投写面に拡大投写する。また、本実施形態のプロジェクターは、壁等に設置された投写面に画像を投写する第１設置姿勢、第１設置姿勢から回転されて、天井等に設置された投写面に画像を投写する第２設置姿勢、および床等に設置された投写面に画像を投写する第３設置姿勢が可能に構成されている。
【００２３】
〔プロジェクターの主な構成〕
図１は、本実施形態のプロジェクター１の主な構成を示す模式図である。
プロジェクター１は、図１に示すように、外装を構成する外装筐体２、制御部（図示省略）、光源３１１を有する光学ユニット３、および冷却装置４を備えている。なお、図１において、冷却装置４については、一部を示している。図示は省略するが、外装筐体２の内部には、さらに、光源３１１や制御部に電力を供給する電源装置等が配置されている。また、以下では、説明の便宜上、プロジェクター１から射出される光の方向を＋Ｙ方向（前方向）、第１設置姿勢におけるプロジェクター１の上側を＋Ｚ側、第１設置姿勢におけるプロジェクター１を後方から見た右側を＋Ｘ側として記載する。
【００２４】
外装筐体２は、詳細な説明は省略するが、複数の部材が組み合わされて構成され、変調された光が通過する開口部、外気を取り込む吸気口や内部の空気が排出される排気口が設けられている。
【００２５】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御や冷却装置４の動作に関わる制御等を行う。
【００２６】
光学ユニット３は、光源３１１から射出された光を制御部による制御の下、画像情報に応じて変調し、変調した光を投写面に投写する。
光学ユニット３は、図１に示すように、一対の光源装置３１Ａ，３１Ｂ、反射ミラー３１Ｃ、照明光学装置３２、色分離光学装置３３、光変調装置を有する光学装置３４、投写光学装置としての投写レンズ３５、およびこれら各部材３１Ａ，３１Ｂ、３２〜３４を内部に収納する光学部品用筐体３６を備える。
【００２７】
一対の光源装置３１Ａ，３１Ｂは、同様の構成を有し、放電型の光源３１１およびリフレクター３１２を備える。そして、一対の光源装置３１Ａ，３１Ｂは、反射ミラー３１Ｃに向けて光束を射出するように反射ミラー３１Ｃを挟んで対向配置されている。そして、一対の光源装置３１Ａ，３１Ｂから射出された光束は、反射ミラー３１Ｃにより、光学部品用筐体３６内部に設定された照明光軸Ａｘに沿って反射され、照明光学装置３２に照射される。
【００２８】
照明光学装置３２は、レンズアレイ３２１，３２２、偏光変換素子３２３、および重畳レンズ３２４を備える。レンズアレイ３２１，３２２、および重畳レンズ３２４は、光源装置３１Ａ，３１Ｂから射出された光を光変調装置の表面で略均一化させる。偏光変換素子３２３は、レンズアレイ３２２から射出されたランダム光を光変調装置で利用可能な第１の直線偏光光に揃える。
【００２９】
色分離光学装置３３は、ダイクロイックミラー３３１，３３２、および反射ミラー３３３〜３３６を備え、照明光学装置３２から射出された光を赤色光（Ｒ光）、緑色光（Ｇ光）、および青色光（Ｂ光）に分離する。
【００３０】
光学装置３４は、光変調装置としての３つの液晶パネル３４１（Ｒ光用の液晶パネルを３４１Ｒ、Ｇ光用の液晶パネルを３４１Ｇ、Ｂ光用の液晶パネルを３４１Ｂとする）、各液晶パネル３４１の光入射側、光射出側にそれぞれ配置された入射側偏光板３４２、射出側偏光板３４３、および色合成光学装置としてのクロスダイクロイックプリズム３４４を備える。
液晶パネル３４１は、図示しない複数の微小画素がマトリックス状に設けられた矩形状の画像形成領域を有し、各画素が画像情報に応じた光透過率に設定される。色分離光学装置３３で分離された各色光は、各液晶パネル３４１にて画像情報に応じてそれぞれ変調され、クロスダイクロイックプリズム３４４にて合成され、投写レンズ３５にてスクリーン等（図示略）に投写される。
【００３１】
そして、プロジェクター１は、第１設置姿勢、第１設置姿勢における水平面に対して投写レンズ３５の光軸３５Ａｘの角度が上方へ第１の所定の角度で変えられた第２設置姿勢、および第１設置姿勢における水平面に対して光軸３５Ａｘの角度が下方へ第２の所定の角度で変えられた第３設置姿勢で画像を投写することができる。また、プロジェクター１は、第１設置姿勢と第２設置姿勢との間の姿勢、第１設置姿勢と第３設置姿勢との間の姿勢でも画像を投写することができる。本実施形態のプロジェクターは、第１の所定の角度および第２の所定の角度として、それぞれ９０°設定可能に構成されている。
【００３２】
冷却装置４は、環状の流路に沿ってプロピレングリコール等の冷却液体を循環させることにより、冷却対象である液晶パネル３４１を冷却する装置である。なお、詳細な説明は省略するが、プロジェクター１内には、液晶パネル３４１以外の光学部品や、電源装置等を冷却するためのファンや、ダクト等が配置されている。
【００３３】
図２は、冷却装置４の主な構成を示すブロック図である。
冷却装置４は、図２に示すように、３つの光学素子保持部４１、液体圧送部４２、供給タンク４３、熱交換装置５、複数の管状部材４５、および冷却ファン４６を備えている。光学素子保持部４１は、冷却対象保持部に相当する。
３つの光学素子保持部４１は、詳細な図示は省略するが、液晶パネル３４１Ｒ，３４１Ｇ，３４１Ｂをそれぞれ保持すると共に、内部に冷却液体が流動する流路が設けられている。液晶パネル３４１Ｒ用の光学素子保持部４１を４１Ｒ、液晶パネル３４１Ｇ用の光学素子保持部４１を４１Ｇ、液晶パネル３４１Ｂ用の光学素子保持部４１を４１Ｂとする。
【００３４】
液体圧送部４２は、冷却液体を吸入および圧送するポンプであり、環状の流路に沿って冷却液体を循環させる。この液体圧送部４２には、冷却液体を吸入する吸入口、冷却液体を圧送する流出口が設けられている。
【００３５】
供給タンク４３は、アルミニウム等の熱伝導率が高い部材で略直方体状に形成され、内部に冷却液体を貯留し、環状の流路に流通する冷却液体を供給する。
供給タンク４３には、内部に冷却液体を注入するための注入口、冷却液体が流入する流入口、および冷却液体が流出する流出口が設けられている。すなわち、供給タンク４３には、冷却装置４が組み立てられた後、注入口から冷却液体が注入される。
【００３６】
管状部材４５は、柔軟性を有する部材で形成され、図２に示すように、光学素子保持部４１Ｂ〜光学素子保持部４１Ｇ〜光学素子保持部４１Ｒ〜液体圧送部４２〜供給タンク４３〜後述する受熱部５１〜光学素子保持部４１Ｂに冷却液体が環状に流通するように、それぞれの部材の間を接続する。
【００３７】
熱交換装置５は、後で詳細に説明するが、受熱部５１、熱電変換素子としてのペルチェ素子５２やヒートシンク５３等を備えている。熱交換装置５は、光源３１１からの光が照射されることによって発熱する液晶パネル３４１の熱を光学素子保持部４１および冷却液体を介して受熱部５１が受熱し、ペルチェ素子５２等を介してヒートシンク５３に伝導させる。
【００３８】
冷却ファン４６は、シロッコファンで構成され、熱交換装置５のヒートシンク５３に冷却空気を送風し、発熱したヒートシンク５３の熱を放熱させる。
【００３９】
〔熱交換装置の構成〕
ここで、熱交換装置５について詳細に説明する。
図３は、熱交換装置５を説明するための模式図であり、（ａ）は、第１設置姿勢のプロジェクター１を示す図、（ｂ）は、熱交換装置５を後方（−Ｙ方向）から見た図、（ｃ）は熱交換装置５を下方（−Ｚ方向）から見た図である。
【００４０】
熱交換装置５は、図３（ｂ）、（ｃ）に示すように、受熱部５１、ペルチェ素子５２、ヒートシンク５３、およびヒートパイプ５４を備え、これらの部材が積層された構成を有している。
受熱部５１は、略直方体状の外形の内部に冷却液体が流通する複数の微細な流路（図示省略）を備え、いわゆるマイクロチャンネル等の熱交換器の構造を有している。そして、受熱部５１は、微細な流路を流れる冷却液体から熱を受熱する。すなわち、受熱部５１は、光源３１１からの光によって発熱した冷却対象（液晶パネル３４１）の熱を受熱する。
【００４１】
ペルチェ素子５２は、具体的な図示は省略するが、ｐ型半導体とｎ型半導体とが金属片で接合されたＰＮ接合を複数有し、図３（ｂ）に示すように、一方の側に吸熱部５２ａ、他方の側に発熱部５２ｂが設けられている。ペルチェ素子５２は、吸熱部５２ａが受熱部５１に熱伝導可能に、発熱部５２ｂがヒートパイプ５４およびヒートシンク５３に熱伝導可能に配置される。そして、ペルチェ素子５２は、電力が供給されると、受熱部５１の熱を吸熱部５２ａで吸熱し、発熱部５２ｂで発熱する。
【００４２】
ヒートシンク５３は、アルミニウム等で形成され、図３（ｂ）、（ｃ）に示すように、板状のベース部５３１、およびベース部５３１の一方の面から突出する複数のフィン５３２を有している。
ベース部５３１には、図３（ｃ）に示すように、フィン５３２とは反対側の面の一方の側寄りにペルチェ素子５２が熱伝導可能に配置され、ペルチェ素子５２と重なる積層部５３１Ａ、およびペルチェ素子５２から飛び出る突出部５３１Ｂを有している。
また、ベース部５３１には、フィン５３２とは反対側の面に、積層部５３１Ａおよび突出部５３１Ｂに亘って形成されたＵ字状の凹部５３１１が形成されている。
複数のフィン５３２は、連続的に薄板状に切り起こされることによってベース部５３１と一体的に形成されており、積層部５３１Ａと突出部５３１Ｂとが並設される方向に延出している。
【００４３】
ヒートパイプ５４は、銅等の管状の部材に作動液が収容された構成を有し、図３（ｃ）に示すように、ベース部５３１の凹部５３１１に配置される。ヒートパイプ５４は、中心線５４Ｌを中心とする平面視略Ｕ字状に形成されている。
ヒートパイプ５４は、凹部５３１１に配置された状態で、ヒートシンク５３の凹部５３１１周囲の面と略面一となるように形成されている。
【００４４】
ヒートパイプ５４は、Ｕ字状の谷部近傍の内装部５４Ａ、および内装部５４Ａの両側から延出し、互いに対向する一対の延出部５４Ｂ，５４Ｃを有している。内装部５４Ａは、ベース部５３１における積層部５３１Ａとペルチェ素子５２との間に位置し、一対の延出部５４Ｂ，５４Ｃは、ペルチェ素子５２に対して露出している。
そして、ヒートパイプ５４が取り付けられたヒートシンク５３とペルチェ素子５２とが組み合わされた際に、ペルチェ素子５２と積層部５３１Ａ、およびペルチェ素子５２と内装部５４Ａとが良好に熱伝導する。
【００４５】
ヒートパイプ５４は、内装部５４Ａ内で作動液が蒸発し、一対の延出部５４Ｂ，５４Ｃ内で作動液の蒸気が凝縮する。内装部５４Ａは、蒸発部に相当し、延出部５４Ｂ，５４Ｃは、凝縮部に相当する。そして、ヒートパイプ５４は、ペルチェ素子５２の発熱部５２ｂの熱を内装部５４Ａから一対の延出部５４Ｂ，５４Ｃへ移動させる。このように、ヒートパイプ５４は、ペルチェ素子５２を介して受熱部５１の熱を内装部５４Ａで受熱し、受熱した熱を一対の延出部５４Ｂ，５４Ｃへ移動させる。
【００４６】
また、一対の延出部５４Ｂ，５４Ｃは、図３（ｃ）に示すように、内装部５４Ａから遠ざかるに従って中心線５４Ｌからの距離が大きくなるように傾斜している。具体的に、図３（ｃ）に示すように、中心線５４Ｌの＋Ｙ側に位置する延出部５４Ｂは、中心線５４Ｌに対して傾斜角θｂを有し、中心線５４Ｌの−Ｙ側に位置する延出部５４Ｃは、中心線５４Ｌに対して傾斜角θｃを有している。
【００４７】
熱交換装置５は、図示しない部材やネジ等を用いて受熱部５１、ペルチェ素子５２、ヒートシンク５３、およびヒートパイプ５４が一体化される。
熱交換装置５が一体化されることによって、受熱部５１〜ペルチェ素子５２〜ヒートシンク５３、ペルチェ素子５２〜ヒートパイプ５４〜ヒートシンク５３への熱伝達経路が形成される。なお、熱伝導可能に配置される互いの部材の間に、より熱伝導性が高まるように熱伝導性のグリスを塗布するように構成してもよい。
【００４８】
一体化された熱交換装置５は、図３（ｂ）に示すように、ヒートシンク５３が受熱部５１の上側に位置し、内装部５４Ａが一対の延出部５４Ｂ，５４Ｃの右側（＋Ｘ側）に位置するように配置される。そして、ヒートパイプ５４は、第１設置姿勢において、中心線５４Ｌを通る鉛直面が光軸３５Ａｘに直交し（図１参照）、一対の延出部５４Ｂ，５４Ｃが内装部５４Ａの上側に位置するように、中心線５４Ｌが水平面Ｈｐに対して傾斜角θａを有して配置される（図３（ｂ）参照）。
【００４９】
プロジェクター１は、第１設置姿勢から第２設置姿勢、あるいは第１設置姿勢から第３設置姿勢に変更される場合には、上方から見て（図１参照）、ヒートパイプ５４の中心線５４Ｌに沿う軸を中心に回転されることとなる。なお、冷却ファン４６は、図１に示すように、熱交換装置５の＋Ｘ側に配置される。
【００５０】
〔冷却動作〕
ここで、冷却装置４による冷却動作について説明する。
冷却装置４は、液体圧送部４２が駆動されることによって、管状部材４５を介して、液体圧送部４２、供給タンク４３、熱交換装置５、光学素子保持部４１、液体圧送部４２の順で冷却液体を還流させ、液晶パネル３４１Ｒ，３４１Ｇ，３４１Ｂを冷却する。
【００５１】
具体的に、液晶パネル３４１Ｒ，３４１Ｇ，３４１Ｂは、光源３１１から射出された光が照射されることによって発熱する。この液晶パネル３４１Ｒ，３４１Ｇ，３４１Ｂで発生した熱は、それぞれの光学素子保持部４１Ｒ，４１Ｇ，４１Ｂを介して冷却液体に伝導する。光学素子保持部４１Ｒ，４１Ｇ，４１Ｂでは、光学素子保持部４１Ｂ、光学素子保持部４１Ｇ、光学素子保持部４１Ｒの順で流動し、その後、液体圧送部４２、供給タンク４３の順で流動し、熱交換装置５の受熱部５１に流入する。
【００５２】
受熱部５１に流入した冷却液体は、受熱部５１内の複数の微細流路を流動する際、受熱部５１に熱を伝える。
受熱部５１に伝導した熱は、ペルチェ素子５２の吸熱部５２ａに伝導する。ペルチェ素子５２は、吸熱部５２ａに熱が伝えられると、この熱を吸熱し、発熱部５２ｂが発熱する。発熱部５２ｂの熱は、ヒートシンク５３の積層部５３Ａ、およびヒートパイプ５４の内装部５４Ａに伝導する。
【００５３】
ヒートパイプ５４は、内装部５４Ａが発熱することによって、内装部５４Ａ内の作動液が蒸発して熱移動が行われる。
ヒートパイプ５４は、プロジェクター１の第１設置姿勢、第２設置姿勢、第３設置姿勢で、異なる熱移動を行う。
先ず、第１設置姿勢におけるヒートパイプ５４の熱移動について説明する。
第１設置姿勢においては、図３（ｂ）に示すように、延出部５４Ｂ，５４Ｃが内装部５４Ａの上側に位置するので、内装部５４Ａ内で発生した蒸気は、延出部５４Ｂ，５４Ｃに移動し、延出部５４Ｂ，５４Ｃ内で凝縮されて、内装部５４Ａに移動する。このように、ヒートパイプ５４は、第１設置姿勢において、内装部５４Ａと一対の延出部５４Ｂ，５４Ｃとの間で作動液が還流することにより、内装部５４Ａの熱を一対の延出部５４Ｂ，５４Ｃに移動させる。
【００５４】
次に、第２設置姿勢におけるヒートパイプ５４の熱移動を説明する。
図４は、第２設置姿勢におけるヒートパイプ５４の熱移動を説明するための模式図であり、（ａ）は水平面Ｈｐに沿う方向から見たプロジェクター１の平面図、（ｂ）は、水平面Ｈｐに沿う方向から見たヒートパイプ５４の平面図である。
【００５５】
図４（ａ）に示すように、プロジェクター１は、第１設置姿勢における水平面Ｈｐに対する光軸３５Ａｘの角度が上方に９０°変更された第２設置姿勢で床等に載置されると、天井等に設置された投写面ＳＣへの画像の投写が可能となる。
この第２設置姿勢において、ヒートパイプ５４は、図４（ｂ）に示すように、内装部５４Ａに対し、延出部５４Ｃは、下側に位置することになるが、延出部５４Ｂは、上側に位置する。
そして、内装部５４Ａ内で発生した蒸気は、殆どが延出部５４Ｂに移動し、延出部５４Ｂ内で凝縮されて、内装部５４Ａに移動する。このように、ヒートパイプ５４は、第２設置姿勢において、内装部５４Ａと延出部５４Ｂとの間で作動液が還流することにより、内装部５４Ａの熱を延出部５４Ｂに移動させる。また、延出部５４Ｃにおいても、内装部５４Ａと一体に形成されていることにより、内装部５４Ａの熱が伝えられる。
【００５６】
次に、第３設置姿勢におけるヒートパイプ５４の熱移動を説明する。
図５は、第３設置姿勢におけるヒートパイプ５４の熱移動を説明するための模式図であり、（ａ）は水平面Ｈｐに沿う方向から見たプロジェクター１の平面図、（ｂ）は、水平面Ｈｐに沿う方向から見たヒートパイプ５４の平面図である。
【００５７】
図５（ａ）に示すように、プロジェクター１は、第１設置姿勢における水平面Ｈｐに対する光軸３５Ａｘの角度が下方に９０°変更された第３設置姿勢で天井等に載置されると、床等に設置された投写面ＳＣへの画像の投写が可能となる。
この第３設置姿勢において、ヒートパイプ５４は、図５（ｂ）に示すように、内装部５４Ａに対し、延出部５４Ｂは、下側に位置することになるが、延出部５４Ｃは、上側に位置する。
そして、内装部５４Ａ内で発生した蒸気は、殆どが延出部５４Ｃに移動し、延出部５４Ｃ内で凝縮されて、内装部５４Ａに移動する。このように、ヒートパイプ５４は、第３設置姿勢において、内装部５４Ａと延出部５４Ｃとの間で作動液が還流することにより、内装部５４Ａの熱を延出部５４Ｃに移動させる。また、延出部５４Ｂにおいても、内装部５４Ａと一体に形成されていることにより、内装部５４Ａの熱が伝えられる。
【００５８】
また、ヒートパイプ５４は、第１設置姿勢における水平面Ｈｐに対する光軸３５Ａｘの角度が上方へ９０°未満変更された姿勢、および第１設置姿勢における水平面Ｈｐに対する光軸３５Ａｘの角度が下方へ９０°未満変更された姿勢においても、一対の延出部５４Ｂ，５４Ｃの少なくともいずれか一方が内装部５４Ａの上側に位置し、内装部５４Ａの熱を一対の延出部５４Ｂ，５４Ｃに移動させる。すなわち、ヒートパイプ５４は、プロジェクター１の第１設置姿勢と第２設置姿勢との間の姿勢、および第１設置姿勢と第３設置姿勢との間の姿勢においても、一対の延出部５４Ｂ，５４Ｃの少なくともいずれか一方が内装部５４Ａの上側に位置し、内装部５４Ａの熱を一対の延出部５４Ｂ，５４Ｃに移動させる。
【００５９】
そして、プロジェクター１の設置姿勢に応じて延出部５４Ｂ，５４Ｃに伝わった熱は、ヒートシンク５３の突出部５３１Ｂに伝導する。このように、ヒートパイプ５４を備えない構成においては、ヒートシンク５３における積層部５３１Ａから突出部５３１Ｂに充分伝えることができなかった熱をヒートパイプ５４によって効率良く突出部５３１Ｂに伝えることができる。
【００６０】
そして、積層部５３１Ａ、および突出部５３１Ｂに伝わった熱は、フィン５３２に伝導し、冷却ファン４６から送風された冷却空気が積層部５３１Ａ側からフィン５３２に沿うように流れて放熱される。
このように、受熱部５１に伝導した熱は、ペルチェ素子５２、およびヒートパイプ５４を介してヒートシンク５３に伝えられ、冷却ファン４６によって放熱される。なお、ヒートシンク５３を冷却した空気は、光源装置３１Ａ，３１Ｂを冷却した後、外装筐体２に設けられた排気口（図示省略）からプロジェクター１外部に排気される。
【００６１】
そして、受熱部５１に伝導した熱がヒートシンク５３で放熱されることにより、受熱部５１内の冷却液体は冷却され、光学素子保持部４１Ｂ、光学素子保持部４１Ｇ、光学素子保持部４１Ｒの順で、これらの部材に流動し、液晶パネル３４１Ｂ，３４１Ｇ，３４１Ｒを冷却する。
このように、冷却装置４は、プロジェクター１の姿勢が変えられても熱移動を行うヒートパイプ５４を備え、液晶パネル３４１Ｒ，３４１Ｇ，３４１Ｂを冷却する。
【００６２】
以上説明したように、本実施形態によれば、以下の効果を得ることができる。
（１）ヒートパイプ５４は、プロジェクター１が水平面Ｈｐに対する投写レンズ３５の光軸３５Ａｘの角度が所定の範囲で変えられた姿勢であっても、熱移動が行われるので、冷却装置４は、冷却液体の熱を熱交換装置５において放熱させ、液晶パネル３４１を安定して冷却することができる。
また、冷却装置４は、特殊なヒートパイプ（例えば、毛細管力を利用して作動液を移動させるように構成されたヒートパイプ等）を備えることなく、簡素な構成のヒートパイプ５４を用いても、このヒートパイプ５４が熱移動を行うので、安定して液晶パネル３４１を冷却することが可能となる。
したがって、複雑な構成や高価な部材を用いることなく冷却装置４を構成し、様々な使用シーンに対応できるプロジェクター１の提供が可能となる。
【００６３】
（２）第１の所定の角度、および第２の所定の角度がそれぞれ９０°なので、プロジェクター１が第１設置姿勢における水平面Ｈｐに対し、±９０°の範囲で回転された姿勢においても、液晶パネル３４１を安定して冷却することが可能となる。よって、冷却装置４の冷却性能を確保しつつ、床面〜壁面〜天井の範囲に設置された投写面に画像を投写できるプロジェクター１の提供が可能となる。
【００６４】
（３）ヒートパイプ５４は、Ｕ字状に形成され、内装部５４Ａ（蒸発部）および一対の延出部５４Ｂ，５４Ｃ（凝縮部）を有している。そして、ヒートパイプ５４は、プロジェクターが第１設置姿勢から第２設置姿勢や第３設置姿勢に姿勢が変えられても、一対の延出部５４Ｂ，５４Ｃの少なくともいずれか一方が内装部５４Ａの上側に位置する。よって、簡素な形状でヒートパイプ５４を形成し、第１設置姿勢、第２設置姿勢および第３設置姿勢において、液晶パネル３４１を安定して冷却できる冷却装置４が可能となる。
【００６５】
（４）受熱部５１と内装部５４Ａとの間にペルチェ素子５２が設けられているので、受熱部５１の熱を効率良く内装部５４Ａに移動させることができる。よって、冷却液体の発熱をより抑え、液晶パネル３４１のより効率的な冷却が可能となる。
【００６６】
（５）ヒートシンク５３には、ペルチェ素子５２に重なる積層部５３１Ａ側から冷却空気が送風される。これによって、ヒートシンク５３には、温度が高い側から冷却空気が送風されるので、ヒートシンク５３をより効率良く放熱させることが可能となる。
【００６７】
（６）冷却装置４には、液体圧送部４２、供給タンク４３、受熱部５１、光学素子保持部４１Ｂ，４１Ｇ，４１Ｒおよび管状部材４５で構成された、冷却液体が流通する環状の流路が設けられている。
これによって、光源３１１からの光によって、液晶パネル３４１で発生した熱を冷却液体を介して受熱部５１に伝導させることができる。熱交換装置５は、上述したように、受熱部５１の熱を効率良く放熱させるので、冷却装置４は、冷却液体を効率良く冷却することができる。よって、受熱部５１で冷却した冷却液体が流通する光学素子保持部４１の冷却、ひいては液晶パネル３４１の効率的な冷却が可能となる。
【００６８】
（第２実施形態）
以下、第２実施形態に係るプロジェクターについて、図面を参照して説明する。以下の説明では、第１実施形態のプロジェクター１と同様の構成および同様の部材には、同一符号を付し、その詳細な説明は省略または簡略化する。
【００６９】
本実施形態のプロジェクター１０は、第１実施形態のプロジェクター１における熱交換装置５と構成の異なる熱交換装置７を備えている。
図６は、熱交換装置７を説明するための模式図であり、（ａ）は、第１設置姿勢のプロジェクター１０を示す図、（ｂ）は、熱交換装置７を後方（−Ｙ方向）から見た図、（ｃ）は熱交換装置７を下方（−Ｚ方向）から見た図である。
【００７０】
熱交換装置７は、図６（ｂ）、（ｃ）に示すように、受熱部５１、ペルチェ素子５２に加え、熱交換装置５におけるヒートシンク５３、ヒートパイプ５４と形状の異なるヒートシンク７１、ヒートパイプ７２を備え、これらの部材が積層された構成を有している。
ヒートシンク７１は、図６に示すように、板状のベース部７１１、およびベース部７１１の一方の面から突出する複数のフィン７１２を有している。
ベース部７１１には、図６（ｃ）に示すように、フィン７１２とは反対側の面の略中央にペルチェ素子５２が熱伝導可能に配置され、ペルチェ素子５２と重なる積層部７１１Ａ、およびペルチェ素子５２から飛び出る突出部７１１Ｂ，７１１Ｃを有している。
また、ベース部７１１には、フィン７１２とは反対側の面に、ヒートパイプ７２が嵌合する凹部７１１１が積層部７１１Ａおよび突出部７１１Ｂ，７１１Ｃに亘って形成されている。
【００７１】
ヒートパイプ７２は、ベース部７１１の凹部７１１１に配置され、図６（ｂ）、（ｃ）に示すように、略中央に位置する内装部７２Ａ、および内装部７２Ａの両側から互いに離間する方向に延出し、内装部７２Ａに対して屈曲する一対の延出部７２Ｂ，７２Ｃを有している。内装部７２Ａは、図６（ｃ）に示すように、ペルチェ素子５２と重なり、ベース部７１１とペルチェ素子５２との間に位置し、一対の延出部７２Ｂ，７２Ｃは、ペルチェ素子５２に対して露出し、突出部７１１Ｂ，７１１Ｃに沿うように配置される。
【００７２】
一対の延出部７２Ｂ，７２Ｃは、図６（ｂ）に示すように、熱交換装置７を後方（−Ｙ方向）から見て、上方に屈曲している。さらに、一対の延出部７２Ｂ，７２Ｃは、図６（ｃ）に示すように、内装部７２Ａの中心線７２Ｌを通り第１設置姿勢における鉛直面に対し、互いが異なる方向に内装部７２Ａから屈曲している。具体的に、図６（ｃ）に示すように、延出部７２Ｂは、＋Ｙ方向に屈曲され、延出部７２Ｃは、−Ｙ方向に屈曲されている。
【００７３】
ヒートパイプ７２は、内装部７２Ａ内に作動液が蒸発する蒸発部が形成され、一対の延出部７２Ｂ，７２Ｃ内に作動液の蒸気が凝縮する凝縮部が形成される。内装部７２Ａは、蒸発部に相当し、延出部７２Ｂ，７２Ｃは、凝縮部に相当する。そして、ヒートパイプ７２は、ペルチェ素子５２の発熱部５２ｂの熱を受熱することによる内装部７２Ａ内の作動液の蒸発、および一対の延出部７２Ｂ，７２Ｃ内の蒸気の凝縮によって、内装部７２Ａから一対の延出部７２Ｂ，７２Ｃへの熱移動が行われる。
【００７４】
熱交換装置７は、図示しない部材やネジ等を用いて受熱部５１、ペルチェ素子５２、ヒートシンク７１、およびヒートパイプ７２が一体化される。
熱交換装置７が一体化されることによって、受熱部５１〜ペルチェ素子５２〜ヒートシンク７１、ペルチェ素子５２〜ヒートパイプ７２〜ヒートシンク７１への熱伝達経路が形成される。なお、熱伝導可能に配置される互いの部材の間に、より熱伝導性が高まるように熱伝導性のグリスを塗布するように構成してもよい。
【００７５】
一体化された熱交換装置７は、図６（ｂ）に示すように、ヒートシンク７１が受熱部５１の上側に位置するように配置される。そして、ヒートパイプ７２は、第１設置姿勢において、中心線７２Ｌを通る鉛直面が光軸３５Ａｘに直交し、中心線７２Ｌが水平面Ｈｐに略沿うように配置される。
【００７６】
ヒートパイプ７２は、プロジェクター１０が第１設置姿勢における水平面Ｈｐに対し、±９０°の範囲で回転された姿勢において、延出部７２Ｂ，７２Ｃの少なくともいずれか一方が内装部７２Ａの上側に位置する。
具体的に、ヒートパイプ７２は、第１設置姿勢において、図６（ｂ）に示すように、延出部７２Ｂ，７２Ｃが内装部７２Ａの上側に位置し、内装部７２Ａに伝えられた熱を延出部７２Ｂ，７２Ｃに移動させる。
【００７７】
図７は、第２設置姿勢におけるヒートパイプ７２の熱移動を説明するための模式図であり、（ａ）は水平面Ｈｐに沿う方向から見たプロジェクター１０の平面図、（ｂ）は、水平面Ｈｐに沿う方向から見たヒートパイプ７２の平面図である。
第２設置姿勢において、ヒートパイプ７２は、図７（ｂ）に示すように、内装部７２Ａに対し、延出部７２Ｃは、下側に位置することになるが、延出部７２Ｂは、上側に位置する。
そして、内装部７２Ａ内で発生した蒸気は、殆どが延出部７２Ｂに移動し、延出部７２Ｂ内で凝縮されて、内装部７２Ａに移動する。このように、ヒートパイプ７２は、第２設置姿勢において、内装部７２Ａと延出部７２Ｂとの間で作動液が還流することにより、内装部７２Ａの熱を延出部７２Ｂに移動させる。また、延出部７２Ｃにおいても、内装部７２Ａと一体に形成されていることにより、内装部７２Ａの熱が伝えられる。
【００７８】
図８は、第３設置姿勢におけるヒートパイプ７２の熱移動を説明するための模式図であり、（ａ）は水平面Ｈｐに沿う方向から見たプロジェクター１０の平面図、（ｂ）は、水平面Ｈｐに沿う方向から見たヒートパイプ７２の平面図である。
第３設置姿勢において、ヒートパイプ７２は、図８（ｂ）に示すように、内装部７２Ａに対し、延出部７２Ｂは、下側に位置することになるが、延出部７２Ｃは、上側に位置する。
そして、内装部７２Ａ内で発生した蒸気は、殆どが延出部７２Ｃに移動し、延出部７２Ｃ内で凝縮されて、内装部７２Ａに移動する。このように、ヒートパイプ７２は、第３設置姿勢において、内装部７２Ａと延出部７２Ｃとの間で作動液が還流することにより、内装部７２Ａの熱を延出部７２Ｃに移動させる。また、延出部７２Ｂにおいても、内装部７２Ａと一体に形成されていることにより、内装部７２Ａの熱が伝えられる。
【００７９】
また、ヒートパイプ７２は、プロジェクター１０の第１設置姿勢と第２設置姿勢との間の姿勢、および第１設置姿勢と第３設置姿勢との間の姿勢においても、一対の延出部７２Ｂ，７２Ｃの少なくともいずれか一方が内装部７２Ａの上側に位置し、内装部７２Ａの熱を一対の延出部７２Ｂ，７２Ｃに移動させる。
【００８０】
このように、ヒートパイプ７２は、第１設置姿勢における水平面Ｈｐに対し、±９０°の範囲で回転された姿勢において、内装部７２Ａの熱を一対の延出部７２Ｂ，７２Ｃに移動させる。
熱交換装置７は、第１実施形態で説明したと同様に、受熱部５１が受熱した熱を、ペルチェ素子５２およびヒートパイプ７２を介してヒートシンク７１に伝える。そして、ヒートシンク７１に伝えられた熱は、冷却ファン４６が送風する冷却空気によって放熱される。
【００８１】
以上説明したように、本実施形態のプロジェクター１０によれば、第１実施形態のプロジェクター１の効果に加え以下の効果を得ることができる。
ヒートシンク７１は、積層部７１１Ａの両側に突出部７１１Ｂ，７１１Ｃが設けられ、ヒートパイプ７２は、この両側の突出部７１１Ｂ，７１１Ｃにそれぞれ沿う延出部７２Ｂ，７２Ｃを有している。これによって、ペルチェ素子５２から積層部７１１Ａに伝わる熱を、積層部７１１Ａの両側に拡散させると共に、ペルチェ素子５２からヒートパイプ７２の内装部７２Ａに伝わる熱を延出部７２Ｂ，７２Ｃから突出部７１１Ｂ，７１１Ｃに伝えることができる。よって、ヒートシンク７１の能力をより効率的に発揮させて受熱部５１の熱を放熱させ、液晶パネル３４１を効率良く冷却することが可能となる。
【００８２】
（変形例）
なお、前記実施形態は、以下のように変更してもよい。
前記実施形態の熱交換装置５，７は、それぞれ１つのヒートパイプ５４，７２を備えて構成されているが、複数のヒートパイプを備えるように構成してもよい。また、異なる形状の複数のヒートパイプを備えるように構成してもよい。
【００８３】
前記実施形態では、第１の所定の角度、第２の所定の角度をそれぞれ９０°としたが、９０°に限らない。例えば、第１の所定の角度、第２の所定の角度をそれぞれ９０°より数度小さな角度で設定し、略直線に沿って延出するヒートパイプを第１設置姿勢において、凝縮部が蒸発部の上側となるように傾斜して配置するように構成してもよい。これによって、さらに単純な形状のヒートパイプを用いても、第２設置姿勢および第３設置姿勢において、凝縮部が蒸発部の上側となるので、冷却対象を安定して冷却することが可能になる。この構成の場合、壁等に設置された投写面に画像を投写する姿勢を第１設置姿勢とすれば、天井や床等に設置された投写面に画像を投写する場合、プロジェクターは、第１設置姿勢に対し９０°未満で回転された姿勢になるため、画像は台形状に歪むこととなるが、台形歪補正を備える構成とすることで、数度の歪補正で矩形の画像の投写が可能となる。
また、第１の所定の角度と第２の所定の角度とが異なる角度となるように構成してもよい。
【００８４】
前記実施形態では、壁等に設置された投写面に画像を投写する姿勢を第１設置姿勢としたが、他の姿勢を第１設置姿勢としてもよい。
【００８５】
熱交換装置５，７は、第１設置姿勢において、受熱部５１の上側にヒートシンク５３，７１が位置するように配置されているが、これに限らない。
【００８６】
前記実施形態の熱交換装置５，７は、ペルチェ素子５２を１つ備えて構成されているが、ペルチェ素子５２を複数備えるように構成してもよい。
【００８７】
前記実施形態では、液晶パネル３４１を冷却装置４が冷却する冷却対象として構成しているが、液晶パネル３４１以外の光学部品、例えば、入射側偏光板３４２、射出側偏光板３４３、偏光変換素子３２３や、光源３１１を冷却対象として構成してもよい。
また、光学ユニット３が位相差板や、光の位相のずれを補償する補償素子等を備える構成とし、この位相差板や補償素子等を冷却対象として構成してもよい。
【００８８】
前記実施形態のプロジェクター１は、光変調装置として透過型の液晶パネル３４１を用いているが、反射型の液晶パネルを利用したものであってもよい。
また、前記実施形態の光変調装置は、Ｒ光、Ｇ光、およびＢ光に対応する３つの光変調装置を用いるいわゆる３板方式を採用しているが、これに限らず、単板方式を採用してもよく、あるいは、２つまたは４つ以上の光変調装置を備えるプロジェクターにも適用できる。
また、光変調装置としてマイクロミラー型の光変調装置、例えば、ＤＭＤ（Digital Micromirror Device）等を利用したものであってもよい。
【００８９】
前記実施形態のプロジェクター１は、２つの光源装置３１Ａ，３１Ｂを備えているが、これに限らず、１つあるいは３つ以上の光源装置を備えるように構成してもよい。また、光源装置は、放電型の光源３１１を用いたものに限らず、その他の方式の光源や発光ダイオード、レーザー等の固体光源を用いたものであってもよい。
【００９０】
前記実施形態の冷却装置４は、冷却液体を用いて受熱部５１が冷却対象の熱を受熱するように構成されているが、冷却液体を用いずに受熱部が冷却対象の熱を受熱するように、冷却装置を構成してもよい。例えば、冷却対象を保持する部材を受熱部として構成してもよく、熱伝導可能な部材を介して冷却対象の熱を受熱部が受熱するように構成してもよい。
【符号の説明】
【００９１】
１，１０…プロジェクター、３…光学ユニット、４…冷却装置、５，７…熱交換装置、３５…投写レンズ、３５Ａｘ…光軸、４１，４１Ｂ，４１Ｇ，４１Ｒ…光学素子保持部、４２…液体圧送部、４３…供給タンク、４５…管状部材、４６…冷却ファン、５１…受熱部、５２…ペルチェ素子、５２ａ…吸熱部、５２ｂ…発熱部、５３，７１…ヒートシンク、５３Ａ…積層部、５４，７２…ヒートパイプ、５４Ａ，７２Ａ…内装部、５４Ｂ，５４Ｃ，７２Ｂ，７２Ｃ…延出部、５４Ｌ，７２Ｌ…中心線、３１１…光源、３４１，３４１Ｂ，３４１Ｇ，３４１Ｒ…液晶パネル。
【図１】
2015135360.tif 000003
【図２】
2015135360.tif 000004
【図３】
2015135360.tif 000005
【図４】
2015135360.tif 000006
【図５】
2015135360.tif 000007
【図６】
2015135360.tif 000008
【図７】
2015135360.tif 000009
【図８】
2015135360.tif 000010